(57)【特許請求の範囲】
【請求項１】
記録媒体に予め記録されている情報を再生する再生手段と、
前記再生された情報を圧縮して当該情報の情報量を低減し、圧縮情報を生成する圧縮手段と、
前記生成された圧縮情報を前記記録媒体に記録し直す記録手段と、
前記記録媒体上における前記生成された圧縮情報の記録位置を制御する制御手段と、
を備え、
当該制御手段は、前記記録媒体上において前記情報が記録されていなかった未記録領域内に前記生成された圧縮情報を一時的に記録し、
その後、当該一時的に記録された圧縮情報の量よりも予め設定された量だけ多く前記情報を再生したとき、当該再生された情報が記録されていた前記記録媒体上の領域に前記一時的に記録されている圧縮情報を記録し直すように前記記録位置を制御することを特徴とする情報記録再生装置。
【請求項２】
請求項１に記載の情報記録再生装置において、
更に、前記制御手段は、前記記録し直された圧縮情報が一時的に記録されていた前記記録媒体上の領域内に新たに生成された前記圧縮情報を記録するように前記記録位置を制御することを特徴とする情報記録再生装置。
【請求項３】
請求項１又は２に記載の情報記録再生装置において、
前記再生された情報を一時的に記憶し、前記圧縮手段に連続的に出力する記憶手段を更に備えることを特徴とする情報記録再生装置。
【請求項４】
請求項１又は２に記載の情報記録再生装置において、
前記生成された圧縮情報を一時的に記憶し、前記記録手段に出力する記憶手段を更に備えることを特徴とする情報記録再生装置。
【発明の詳細な説明】
【０００１】
【発明の属する技術分野】
本発明は、光ディスク等の記録媒体から情報を再生することができると共に、当該再生した情報を再度元の記録媒体に記録することが可能な情報記録再生装置の技術分野に属する。
【０００２】
【従来の技術】
近年、家庭用のビデオテープレコーダ等の普及により、テレビジョン放送を録画することが簡易に行えるようになっている。
【０００３】
ここで、例えば、一週間に一度放送されると共に、各回が連続した内容を有するテレビドラマのようなテレビジョン放送を録画する場合、通常は、当該連続する全ての回のテレビドラマのみを録画したビデオテープを作成し、それらを放送順に並べて保管しておくことが為されている。
【０００４】
【発明が解決しようとする課題】
しかしながら、連続したテレビドラマを全ての回分録画して保管するためには、少なくとも当該連続する全ての回の放送を録画しておくだけの量のビデオテープが必要となり、このときには、場合によっては膨大な量のビデオテープを保管しておく必要があり、コストが嵩むと共に保管場所としても広い場所が必要となるという問題点があった。
【０００５】
また、保管に必要なビデオテープの量を低減するための方法としては、例えば、一度録画して再生した放送番組を圧縮することにより記録レートを低減して（具体的には、ビデオテープレコーダの場合には、標準モードで録画されていたものを３倍モードにして）保管専用のビデオテープに録画し直すことが考えられるが、この場合には、録画した放送番組の再生用のビデオレコーダと再記録用のビデオレコーダの２台が必要となり、この場合にもコストが嵩むと共に再生／記録のために不要は時間が必要となるという問題点があった。
【０００６】
そこで、本発明は、上記の各問題点に鑑みて為されたもので、その課題は、録画済の放送番組等を保管用の記録媒体に簡易且つ省スペース化しつつ再記録する事ができると共に、保管用の記録媒体の使用量（使用数）を低減することが可能な情報記録再生装置を提供することにある。
【０００７】
【課題を解決するための手段】
上記の課題を解決するために、請求項１に記載の発明は、光ディスク等の記録媒体に予め記録されている情報を再生する記録再生部等の再生手段と、前記再生された情報を圧縮して当該情報の情報量を低減し、圧縮情報を生成する画像エンコーダ等の圧縮手段と、前記生成された圧縮情報を前記記録媒体に記録し直す記録再生部等の記録手段と、前記記録媒体上における前記生成された圧縮情報の記録位置を制御するＣＰＵ等の制御手段と、を備え、当該制御手段は、前記記録媒体上において前記情報が記録されていなかった未記録領域内に前記生成された圧縮情報を一時的に記録し、その後、当該一時的に記録された圧縮情報の量よりも予め設定された量だけ多く前記情報を再生したとき、当該再生された情報が記録されていた前記記録媒体上の領域に前記一時的に記録されている圧縮情報を記録し直すように前記記録位置を制御するように前記記録位置を制御する。
【００２１】
【発明の実施の形態】
次に、本発明に好適な実施の形態について、図面を用いて説明する。
【００２２】
なお、以下に説明する実施の形態は、情報を複数回記録することができると共に当該記録された情報を再生することが可能な記録媒体としての光ディスク（より具体的には、例えば、ＤＶＤ−ＲＡＭ（DVD-Random  Access  Memory）又はいわゆるＭＤ（Mini  Disc）或いはＤＶＤ−ＲＯＭ（DVD-Read  Only  Memory）と同じフォーマットにより複数回記録再生することが可能な光ディスク等）に対して、外部から入力された情報（画像情報及び音声情報の双方を含む。）を記録すると共にこれを当該光ディスクから再生することが可能な情報記録装置に対して本発明を適用した場合の実施の形態である。
【００２３】
（Ｉ）第１実施形態
始めに、本発明に係る第１の実施形態について、図１乃至図３を用いて説明する。
【００２４】
先ず、第１実施形態に係る情報記録再生装置の構成及び概要動作について、図１を用いて説明する。
【００２５】
なお、図１は第１実施形態に係る情報記録再生装置の概要構成を示すブロック図である。
【００２６】
図１に示すように、第１実施形態の情報記録再生装置Ｓは、Ａ／Ｄコンバータ１及び２と、スイッチ３及び４と、圧縮手段としての画像エンコーダ５と、圧縮手段としての音声エンコーダ６と、マルチプレクサ７と、記録手段及び再生手段としての記録再生部８と、デマルチプレクサ１０と、画像デコーダ１１と、音声デコーダ１２と、Ｄ／Ａコンバータ１３及び１４と、記録レート制御部１５と、再生レート制御部１６と、制御手段としてのＣＰＵ１７と、入力部１８と、記憶手段としてのバッファ１９と、により構成されている。
【００２７】
このとき、画像エンコーダ５は、入力された後述のディジタル画像信号Ｓdvinを、後述のレート制御信号Ｓvrにより指定される圧縮率で圧縮し、後述する画像エンコード信号Ｓevを生成することが可能なように構成されている。
【００２８】
また、音声エンコーダ６は、入力された後述のディジタル音声信号Ｓdainを、後述のレート制御信号Ｓarにより指定される圧縮率で圧縮し、後述する音声エンコード信号Ｓeaを生成することが可能なように構成されている。
【００２９】
更に、画像デコーダ１１は、入力された後述の再生画像信号Ｓvを、後述のレート制御信号Ｓvpにより指定される伸長率で伸長し、後述する復調画像信号Ｓdvを生成することが可能なように構成されている。
【００３０】
更にまた、音声デコーダ１２は、入力された後述の再生音声信号Ｓaを、後述のレート制御信号Ｓapにより指定される伸長率で伸長し、後述する復調音声信号Ｓdaを生成することが可能なように構成されている。
【００３１】
次に、概要動作を説明する。
【００３２】
始めに、外部から入力された画像情報及び音声情報を光ディスク９に記録する場合の動作について説明する。
【００３３】
外部から入力された画像情報及び音声情報を光ディスク９に記録する旨の操作が入力部１８において行われ、これに対応する入力信号ＳinがＣＰＵ１７に出力されると、当該ＣＰＵ１７は、スイッチ３をＡ／Ｄコンバータ１側に切り換えるための制御信号Ｓswvを生成して当該スイッチ３に出力すると共に、スイッチ４をＡ／Ｄコンバータ２側に切り換えるための制御信号Ｓswaを生成して当該スイッチ４に出力する。
【００３４】
そして、光ディスク９に記録すべき画像情報を含む画像信号Ｓvinが外部から入力されると、Ａ／Ｄコンバータ１はこれをディジタル化し、ディジタル画像信号Ｓdvinとしてスイッチ３を介して画像エンコーダ５に出力する。
【００３５】
次に、画像エンコーダ５は、記録レート制御部１５からのレート制御信号Ｓvrに基づいて、ディジタル画像信号Ｓdvinに含まれている画像情報をエンコードし（すなわち、変調すると共に記録用のフォーマットに変換し）、画像エンコード信号Ｓevを生成してマルチプレクサ７に出力する。
【００３６】
このとき、外部から入力された画像情報を含むディジタル画像信号Ｓdvinをエンコードする際には、記録レート制御部１５は、当該画像情報を圧縮することなくエンコードするようにレート制御信号Ｓvrを生成して画像エンコーダ５に出力する。
【００３７】
これと並行して、光ディスク９に記録すべき音声情報を含む音声信号Ｓainが外部から入力されると、Ａ／Ｄコンバータ２はこれをディジタル化し、ディジタル音声信号Ｓdainとしてスイッチ４を介して音声エンコーダ６に出力する。
【００３８】
そして、音声エンコーダ６は、記録レート制御部１５からのレート制御信号Ｓarに基づいて、ディジタル音声信号Ｓdainに含まれている音声情報をエンコードし、音声エンコード信号Ｓeaを生成してマルチプレクサ７に出力する。
【００３９】
このとき、外部から入力された音声情報を含むディジタル音声信号Ｓdainをエンコードする際には、記録レート制御部１５は、当該音声情報を圧縮することなくエンコードするようにレート制御信号Ｓarを生成して音声エンコーダ６に出力する。
【００４０】
そして、マルチプレクサ７は、上記画像エンコード信号Ｓev及び音声エンコード信号Ｓeaを相互に重畳し、光ディスク９に記録すべき情報を含む重畳信号Ｓmとして記録再生部８へ出力する。
【００４１】
このとき、マルチプレクサ７は、生成した重畳信号Ｓmをバッファ信号Ｓbとして一時的にバッファ１９に出力して当該バッファ１９に記憶させた後所定のタイミングで読み出すことにより記録再生部８へ出力する。
【００４２】
そして、記録再生部８は、ＣＰＵ１７からの制御信号Ｓcに基づいて、入力される重畳信号Ｓmを光ディスク９に実際に記録すべき記録信号Ｓrに変換し、当該記録信号Ｓrを用いて記録用の光ビームを強度変調等することにより、当該記録信号Ｓrに対応する情報ピットを光ディスク９上に形成して記録すべき情報を当該光ディスク９上に記録する。
【００４３】
このとき、当該記録すべき情報を記録する光ディスク９上の位置は、ＣＰＵからの上記制御信号Ｓcにより指定される。
【００４４】
一方、上記の一連の記録動作に並行して、ＣＰＵ１７は、使用者により操作される入力部１８からの入力信号Ｓinに基づいて、上記各制御信号Ｓswa、Ｓswv及びＳcを出力して記録動作を制御すると共に、制御信号Ｓcrを出力して記録レート制御部１５を制御し、画像エンコーダ５又は音声エンコーダ６におけるエンコード処理を制御させる。
【００４５】
次に、光ディスク９に記録されている情報を再生する場合の動作について説明する。
【００４６】
光ディスク９に記録されている情報を再生する旨の操作が入力部１８において行われ、これに対応する入力信号ＳinがＣＰＵ１７に入力されると、当該ＣＰＵ１７は、当該情報を再生する旨の制御信号Ｓcを生成して記録再生部８に出力する。
【００４７】
これにより、記録再生部８は、情報再生用の光ビームを光ディスク９の再生位置に照射し、その反射光に基づいて生成された再生すべき情報に対応する読取信号Ｓpに対して波形成形又は増幅等の処理を施し、再生信号Ｓppを生成してデマルチプレクサ１０に出力する。
【００４８】
このとき、再生すべき情報が記録されている光ディスク９上の上記再生位置は、ＣＰＵからの上記制御信号Ｓcにより指定される。
【００４９】
そして、デマルチプレクサ１０は、再生信号Ｓppに基づいて、当該再生信号Ｓppに含まれている画像情報に対応する再生画像信号Ｓvと当該再生信号Ｓppに含まれている音声情報に対応する再生音声信号Ｓaとを分離生成し、夫々画像デコーダ１１及び音声デコーダ１２に出力する。
【００５０】
次に、画像デコーダ１１は再生レート制御部１６からのレート制御信号Ｓvpにより指定される再生レートに基づいて再生画像信号Ｓvをデコードし（すなわち、復調し）、復調画像信号Ｓdvを生成してスイッチ３の一の端子及びＤ／Ａコンバータ１３へ出力する。
【００５１】
そして、Ｄ／Ａコンバータ１３は入力された復調画像信号Ｓdvをアナログ化し、画像出力信号Ｓvoutを生成して外部の図示しないモニタ等に出力する。これにより、当該モニタ等上に再生された情報に含まれる画像が表示される。
【００５２】
一方、音声デコーダ１２は再生レート制御部１６からのレート制御信号Ｓapにより指定される再生レートに基づいて再生音声信号Ｓaをデコードし、復調音声信号Ｓdaを生成してスイッチ４の一の端子及びＤ／Ａコンバータ１４へ出力する。
【００５３】
そして、Ｄ／Ａコンバータ１４は入力された復調音声信号Ｓdaをアナログ化し、音声出力信号Ｓaoutを生成して外部の図示しないスピーカに出力する。これにより、当該スピーカから再生された情報に含まれる音声が出力される。
【００５４】
なお、上述の動作において、再生レート制御部１６は、ＣＰＵ１７からの制御信号Ｓcpに基づいて、記録レート制御部１５において指定されている記録レートに対応するように（すなわち、外部からの画像情報等が圧縮されずに光ディスク９に記録されている場合には、再生された再生画像信号Ｓv及び再生音声信号Ｓaを伸長することなく復調するように）再生レートを指定して夫々レート制御信号Ｓvp及びＳapを生成する。
【００５５】
更に、上記の一連の再生動作に並行して、ＣＰＵ１７は、使用者により操作される入力部１８からの入力信号Ｓinに基づいて、上記各制御信号Ｓcを出力して再生動作を制御すると共に、制御信号Ｓcpを出力して再生レート制御部１６を制御し、画像デコーダ１１又は音声デコーダ１２におけるデコード処理を制御させる。
【００５６】
次に、本発明に係る再記録を行う場合の動作について説明する。
【００５７】
本発明の再記録動作においては、上述の再生動作により再生された画像情報及び音声情報を圧縮して再度光ディスク９に記録し直す。
【００５８】
すなわち、再記録動作においては、当該再記録をする旨の操作が入力部１８において行われ、これに対応する入力信号Ｓinが入力されると、ＣＰＵ１７は、スイッチ３を復調画像信号Ｓdv側に切り換えるための制御信号Ｓswvを生成して当該スイッチ３に出力すると共に、スイッチ４を復調音声信号Ｓda側に切り換えるための制御信号Ｓswaを生成して当該スイッチ４に出力する。
【００５９】
これにより、スイッチ３及び４は、夫々復調画像信号Ｓdv側及び復調音声信号Ｓda側に切り換えられる。
【００６０】
次に、画像エンコーダ５は、スイッチ３を介して再生された復調画像信号Ｓdvが入力されると、これを記録レート制御部１５からのレート制御信号Ｓvrに含まれる圧縮率を用いて圧縮し、圧縮された画像情報を含む上記画像エンコード信号Ｓevを生成してマルチプレクサ７に出力する。
【００６１】
一方、音声エンコーダ６は、スイッチ４を介して再生された復調音声信号Ｓdaが入力されると、これを記録レート制御部１５からのレート制御信号Ｓarに含まれる圧縮率を用いて圧縮し、圧縮された音声情報を含む上記音声エンコード信号Ｓeaを生成してマルチプレクサ７に出力する。
【００６２】
このとき、ＣＰＵ１７は、入力部１８において入力された上記圧縮率を示す制御信号Ｓcrを生成し、これにより、当該圧縮率を含む上記レート制御信号Ｓvr及びレート制御信号Ｓarを生成するように記録レート制御部１５を制御する。
【００６３】
次に、マルチプレクサ７は、上述した記録動作時と同様の動作により、画像エンコード信号Ｓevと音声エンコード信号Ｓeaを重畳して重畳信号Ｓmを生成し、記録再生部８へ出力する。
【００６４】
そして、記録再生部８は、ＣＰＵ１７からの制御信号Ｓcに含まれる光ディスク９上の記録位置に対して上記重畳信号Ｓmに対応する記録信号Ｓrを記録する。
【００６５】
このとき、ＣＰＵ１７は、後述する記録位置（図３右のアドレス「０」等参照）に当該記録信号Ｓrが記録（再記録）されるように上記制御信号Ｓcを生成する。
【００６６】
以上の再記録動作により、一度再生された画像情報及び音声情報が、夫々に圧縮されデータ量が低減された後に光ディスク９に再記録されることとなる。
【００６７】
なお、上述のようにして再記録された画像情報等を再生する場合には、画像デコータ１１及び音声デコーダ１２において、上記画像エンコーダ５及び音声エンコーダ６において夫々用いられた圧縮率に対応する伸長率で再生画像信号Ｓv及び再生音声信号Ｓaが夫々に伸長された後に復調画像信号Ｓdv及び復調音声信号daとして出力されて再生される。
【００６８】
このとき、ＣＰＵ１７は、当該圧縮率に対応する伸長率で伸長が行われるように上記レート制御信号Ｓvp及びＳapを生成させるべく、再生レート制御部１６を制御する。
【００６９】
次に、第１実施形態に係る上記再記録動作の詳細について、図２及び図３を用いて説明する。
【００７０】
なお、図２は第１実施形態の再記録動作を示すフローチャートであり、図３は第１実施形態の再記録の前後における光ディスク９上の情報の記録状態を示す模式図である。
【００７１】
また、第１実施形態及び後述するその他の実施形態の説明においては、光ディスク９への情報の記録及び光ディスク９からの情報の読み取りの最小単位を、仮にブロックと称することにする。ここで、このブロックに相当するものとしては、具体的には、例えばＣＤ（Compact  Disc）等に対しての記録／再生の際に最小単位として用いられるいわゆるＥＣＣ（Error  Correcting  Code）ブロック等が挙げられる。
【００７２】
更に、以下の第１実施形態では、光ディスク９には、画像情報及び音声情報を含む情報が上記ブロック毎に予め記録されているものとする。
【００７３】
図２に示すように、第１実施形態の再記録動作においては、始めに、入力部１８において再記録動作を示す操作が行われると、ＣＰＵ１７は、当該操作に対応する入力信号Ｓinを受けて各種の初期設定を行う（ステップＳ１）。
【００７４】
このステップＳ１において具体的に設定される初期値としては、先ず、光ディスク９上に既記録されている情報内の再記録すべき情報の先頭のブロックの位置を示す読取開始ブロックを「Ｐ０」として設定する。
【００７５】
次に、読み取ったブロックを圧縮した後に再記録する際の記録開始位置を示す再圧縮記録開始ブロックを「Ｒ０」として設定する。
【００７６】
なお、第１実施形態では、読取開始ブロックＰ０と再圧縮記録開始ブロックＲ０は等しく設定される。
【００７７】
次に、記録再生部８により既記録の情報を読み取る際のレートである読取レートＣpを設定する。
【００７８】
この読取レートＣpの具体値としては、例えば、８Ｍbps程度が適切である。
【００７９】
次に、圧縮された情報を光ディスク９に再記録する際のレートである再圧縮記録レートＣrを、入力部１８における使用者が設定した値に基づいて設定する。
【００８０】
この再圧縮記録レートＣrは上記読取レートＣpよりも小さい値とされ、具体的には、例えば、２Ｍbps程度が適切である。
【００８１】
更に、始めに光ディスク９から読み取るべきブロック（以下、単に読取ブロックと称する。）の大きさ（当該ブロック内の情報量）ΔＰを、既に光ディスク９に記録されている情報のブロックの大きさに設定する。
【００８２】
そして、最後に、既に読み取ったブロックの番号を示す読取ブロックナンバーＢnを「０」と設定する。
【００８３】
以上の各種値の初期設定が終了すると（ステップＳ１）、次に、記録再生部８により、Ｐ番目の読取ブロックから上記読取レートＣpにより情報を読み取り、上記デマルチプレクサ１０、画像デコーダ１１及び音声デコーダ１２を用いてこれを再生し、再生データ（具体的には、上記復調画像信号Ｓdv及び復調音声信号Ｓda）を得る（ステップＳ２）。
【００８４】
ここで、上記読取ブロックの番号Ｐは、具体的には、
【数１】
Ｐ＝Ｐ０＋Ｂn×ΔＰ
で示される値であり、後述のステップＳ２乃至Ｓ６が実行されることにより、再記録すべき情報がその先頭から順次読み取られることとなる。
【００８５】
なお、ステップＳ２におけるＰ番目の読取ブロックの位置は、制御信号Ｓcにより指定される。
【００８６】
再生データが生成されると、次に、当該生成した再生データを画像エンコーダ５及び音声エンコーダ６を用いて圧縮し、上記画像エンコード信号Ｓev及び音声エンコード信号Ｓeaを生成する（ステップＳ３）。
【００８７】
ここで、ステップＳ３において用いられる圧縮率（レート制御信号Ｓar及びＳvrとして指定される圧縮率）は、ステップＳ２で一のブロックを読み取ったときの所要時間と同じ所要時間内に、当該一のブロック内の全情報を上記再圧縮記録レートＣrで光ディスク９に再記録することができるような圧縮率とされる。
【００８８】
情報の圧縮が完了すると（ステップＳ３）、次に、圧縮された情報に対応する記録信号Ｓr（重畳信号Ｓm）をＲ番目の記録ブロック（再記録後の情報におけるブロックをいう。以下、同じ。）の位置へ再記録する（ステップＳ４）。
【００８９】
ここで、上記記録ブロックの番号Ｒは、具体的には、
【数２】
Ｒ＝Ｒ０＋Ｂn×ΔＰ×（Ｃr／Ｃp）
で示される値であり、後述のステップＳ５及びＳ６が実行されることにより、再記録すべき圧縮された情報（ステップＳ３）が元の読み取り前の情報の記録位置の先頭から順次再記録されることとなる。
【００９０】
なお、ステップＳ４におけるＲ番目の記録ブロックの位置は、制御信号Ｓcにより指定される。
【００９１】
そして、全ての読み取るべき情報が終了した否かが判定され（ステップＳ５）、終了しているときは（ステップＳ５；ＹＥＳ）そのまま処理を終了し、一方、終了していないときは（ステップＳ５；ＮＯ）、読取ブロックナンバーＢnをインクリメントし（ステップＳ６）、ステップＳ２に戻って次の読取ブロックについて上述したステップＳ２乃至Ｓ５の動作を繰り返す。
【００９２】
なお、再記録された情報を再度再生する際には、上記再圧縮記録レートＣrに対応した再生レートで復調が為されるように、再生レート制御部１６により画像デコーダ１１及び音声デコーダ１２における伸長率が制御されることとなる。
【００９３】
次に、図２に示す処理により再記録が実行される前後の光ディスク９における情報の記録状態について、図３を用いて説明する。
【００９４】
先ず、図３左において、再記録前の光ディスク９においては、五つの読取ブロック２０乃至２４が、夫々図３に示すアドレスに記録されているとする。なお、図３中符号「Ｎ」は、光ディスク９において情報が記録されていない未記録領域を示している。
【００９５】
図３左に示す状態の各読取ブロックに対し、上記ステップＳ１乃至Ｓ６の処理を各読取ブロック毎に実行すると、第１実施形態では読取開始ブロックＰ０と再圧縮記録開始ブロックＲ０とが等しいことから、圧縮された情報を含む記録ブロック３０乃至３４（夫々対応する圧縮前の読取ブロック２０乃至２４と同様の内容の情報が含まれているが、圧縮処理によりその情報量は夫々に１／４となっている。）は、元の読取ブロック２０の先頭位置から順に、図３右に示す光ディスク９’上のアドレスに再記録されていくこととなる。
【００９６】
以上説明したように、第１実施形態の情報記録再生装置Ｓの動作によれば、再生した情報を圧縮した後に再記録するので、再生後の情報を再記録しておくために必要な光ディスク９上の領域を低減することができる。
【００９７】
また、情報再生装置と情報記録装置の二つを用いることなく情報の再記録が可能となるので、設置場所を不要に占有することなく、情報保管用の光ディスク９を製造することができる。
【００９８】
更に、一の記録再生部８により情報の再生と圧縮後の情報の再記録とを行うので、情報記録再生装置Ｓを小型化することができる。
【００９９】
更にまた、圧縮後の情報を一時的にバッファ１９に記憶しつつ読み出して再記録するので、圧縮後の情報の記録時に記録位置の探索が必要となっても、連続して圧縮前の情報を再生することができる。
【０１００】
また、再生された情報が記録されていた光ディスク９上の領域の先頭から圧縮後の情報の記録を開始するように記録位置を制御するので、光ディスク９上の記録領域を効率的に使用して圧縮後の情報を記録し直すことができる。
【０１０１】
更に、再記録する記録媒体が光ディスク９であるので、情報の保管に必要な場所を最小限化することができる。
【０１０２】
（II）第２実施形態
次に、本発明に係る他の実施形態である第２実施形態について、図４を用いて説明する。
【０１０３】
なお、図４は第２実施形態の再記録の前後における光ディスク９上の情報の記録状態を示す模式図である。
【０１０４】
上述の第１実施形態においては、光ディスク９に最初に記録されていた情報の先頭位置と、圧縮後の情報の再記録位置の先頭とが一致している場合について説明したが、第２実施形態では、圧縮後の情報は、光ディスク９に最初に情報が記録されていた状態における当該光ディスク９の空き領域内に再記録される。
【０１０５】
なお、第２実施形態の情報記録再生装置の構成は、第１実施形態の情報記録再生装置Ｓと全く同様であるので、細部の説明は省略する。
【０１０６】
また、第２実施形態の再記録動作が第１実施形態の再記録動作と異なる点は、第１実施形態の再記録動作では、図２ステップＳ１に示すように読取開始ブロックＰ０と再圧縮記録開始ブロックＲ０とは等しく設定されていたのに対し、第２実施形態では、再圧縮記録開始ブロックＲ０が再記録前の光ディスク９における未記録領域内のいずれかの位置とされる。
【０１０７】
その他の第２実施形態の再記録は、図２に示す第１実施形態の再記録動作と同様であるので、細部の説明は省略する。
【０１０８】
次に、第２実施形態の再記録動作により再記録が実行される前後の光ディスク９における情報の記録状態について、図４を用いて説明する。
【０１０９】
先ず、図４左において、再記録前の光ディスク９においては、第１実施形態と同様に五つの読取ブロック２０乃至２４が、夫々図４に示すアドレスに記録されているとする。
【０１１０】
なお、図４中符号「Ｎ」、「Ｎ１」及び「Ｎ２」は、夫々光ディスク９又は９’において情報が記録されていない未記録領域を示している。
【０１１１】
図４左に示す状態の各読取ブロックに対し、第２実施形態の再記録動作を各読取ブロック毎に実行すると、第２実施形態では再圧縮記録開始ブロックＲ０が再記録前の光ディスク９における未記録領域Ｎ内の位置（図４においては、アドレス「１０００」で示される位置）とされていることから、圧縮された情報を含む記録ブロック３０乃至３４は、元の光ディスク９における未記録領域Ｎ内のアドレス「１０００」の位置から順に、図４右に示す光ディスク９’上のアドレスに再記録されていくこととなる。
【０１１２】
以上説明したように、第２実施形態の情報記録再生装置Ｓの動作によれば、再生した情報を圧縮した後に再記録するので、再生後の情報を再記録しておくために必要な光ディスク９上の領域を低減することができる。
【０１１３】
また、情報再生装置と情報記録装置の二つを用いることなく情報の再記録が可能となるので、設置場所を不要に占有することなく、情報保管用の光ディスク９を製造することができる。
【０１１４】
更に、一の記録再生部８により情報の再生と圧縮後の情報の再記録とを行うので、情報記録再生装置Ｓを小型化することができる。
【０１１５】
更にまた、圧縮後の情報を一時的にバッファ１９に記憶しつつ読み出して再記録するので、圧縮後の情報の記録時に記録位置の探索が必要となっても、連続して圧縮前の情報を再生することができる。
【０１１６】
また、光ディスク９上において元の情報が記録されていなかった未記録領域Ｎ内に圧縮後の情報を記録し直すように記録位置を制御するので、再生された情報を光ディスク９’上に残置しつつ圧縮後の情報の再記録が行えることとなり、情報の圧縮処理等の最中に停電等が発生して当該圧縮処理等が中断しても、圧縮すべき情報（図４に示す場合は、読取ブロック２０乃至２４）を再度再生して圧縮処理等を再開することができる。
【０１１７】
更に、再記録する記録媒体が光ディスク９であるので、情報の保管に必要な場所を最小限化することができる。
【０１１８】
（III）第３実施形態
次に、本発明に係る他の実施形態である第３実施形態について、図５及び図６を用いて説明する。
【０１１９】
なお、図５は第３実施形態の再記録動作を示すフローチャートであり、図６は第３実施形態の再記録の前後における光ディスク９上の情報の記録状態を示す模式図である。
【０１２０】
また、図５において、図２に示す処理と同様の処理については、同一のステップ番号を付して細部の説明は書略する。
【０１２１】
なお、第３実施形態の情報記録再生装置の構成は、第１実施形態の情報記録再生装置Ｓと全く同様であるので、細部の説明は省略する。
【０１２２】
上述の第１実施形態では、光ディスク９に最初に記録されていた情報の先頭位置と圧縮後の情報の再記録位置の先頭とを一致させ、且つ圧縮後の情報を一箇所に纏めて再記録する場合について説明したが、第３実施形態では、圧縮後の情報が対応する元の読取ブロック毎に離散的に再記録されると共に、圧縮後の情報の再記録と読み取った情報の再生出力とが同時並行的に実行される。
【０１２３】
すなわち、第３実施形態の再記録動作においては、始めに、第１実施形態と同様の初期設定処理が実行される（ステップＳ１）。
【０１２４】
次に、第１実施形態のステップＳ２と同様に、記録再生部８により、Ｐ（＝Ｐ０＋Ｂn×ΔＰ）番目の読取ブロックから読取レートＣpにより情報を読み取り、上記デマルチプレクサ１０、画像デコーダ１１及び音声デコーダ１２を用いてこれを再生し、再生データ（具体的には、復調画像信号Ｓdv及び復調音声信号Ｓda）を得ると共に、当該得られた復調画像信号Ｓdv及び復調音声信号Ｓdaを夫々アナログ化し、画像出力信号Ｓvout及び音声出力信号Ｓaoutとして出力する（ステップＳ１０）。
【０１２５】
次に、ステップＳ３において、第１実施形態と同様に読み取った情報の圧縮を行う。
【０１２６】
そして、各読取ブロック毎に情報の圧縮が終了すると、当該圧縮された情報に対応する記録信号Ｓr（重畳信号Ｓm）をＲ番目の記録ブロックの位置へ再記録する（ステップＳ１１）。
【０１２７】
ここで、この記録ブロックの番号Ｒは、具体的には、
【数３】
Ｒ＝Ｐ
で示される値であり、後述のステップＳ５及びＳ６が実行されることにより、再記録すべき圧縮された情報（ステップＳ３）における記録ブロックが、元の読み取り前の読取ブロック毎にその記録位置の先頭に再記録されることとなる。
【０１２８】
なお、ステップＳ１１におけるＲ番目の記録ブロックの位置は、制御信号Ｓcにより指定される。
【０１２９】
その後は、第１実施形態と同様のステップＳ５及びＳ６が実行され、上述した動作が各読取ブロック毎に実行されることとなる。
【０１３０】
次に、図５に示す処理により再記録が実行される前後の光ディスク９における情報の記録状態について、図６を用いて説明する。
【０１３１】
先ず、図６左において、再記録前の光ディスク９においては、上記各実施形態と同様に、五つの読取ブロック２０乃至２４が、夫々図６に示すアドレスに記録されているとする。なお、図６中符号「Ｎ」は、光ディスク９において情報が記録されていない未記録領域を示している。
【０１３２】
図６左に示す状態の各読取ブロックに対し、第３実施形態の再記録動作を各読取ブロック毎に実行すると、第３実施形態では記録ブロックＲと読取ブロックＰとが等しいことから、圧縮された情報を含む記録ブロック３０乃至３４は、元の各読取ブロック２０乃至２４毎の夫々の先頭位置から図６右に示す光ディスク９’上のアドレスに再記録されていくこととなる。
【０１３３】
このとき、図６右から明らかなように、元の読取ブロック２０乃至２４内の先頭部分の情報は書き換えられるため、当該読取ブロック２０乃至２４の夫々の先頭部分を除いた残りの部分が読取ブロック２０’乃至２４’として再記録後の光ディスク９’上に残置することとなる。
【０１３４】
ここで、当該読取ブロック２０’乃至２４’については、これらの領域に新たな情報又は新たな圧縮後の情報を記録することにより光ディスク９’の利用効率を高め、これにより情報を記録するために必要な光ディスク９’の領域を低減することができる。
【０１３５】
以上説明したように、第３実施形態の再記録動作によれば、元の情報における読取ブロック毎に、その先頭位置から対応する記録ブロックを再記録するので、元の情報の再生において再生用光ビームの照射位置移動のための時間的余裕がなくても、圧縮後の情報を再記録することができる。
【０１３６】
（IV）第４実施形態
次に、本発明に係る他の実施形態である第４実施形態について、図７を用いて説明する。
【０１３７】
なお、図７は第４実施形態の再記録の前後における光ディスク９上の情報の記録状態を示す模式図である。
【０１３８】
上述の第１乃至第３実施形態においては、再記録後の光ディスク９’上での情報移動が行なわれない場合について説明したが、第４実施形態では、圧縮後の情報を再記録後、更に当該圧縮後の情報の記録位置を移動させる。
【０１３９】
なお、第４実施形態の情報記録再生装置の構成は、第１実施形態の情報記録再生装置Ｓと全く同様であるので、細部の説明は省略する。
【０１４０】
図７に示すように、第４実施形態の再記録動作においては、始めに、上記第２実施形態の再記録動作と同様の動作が読取ブロック２０乃至２３に対して実行され、図７中に示す光ディスク９’が形成される。
【０１４１】
この段階では、情報圧縮後の記録ブロック３０乃至３３は再記録前の光ディスク９における未記録領域Ｎ内に記録されている。
【０１４２】
そして、第４実施形態の再記録動作では、この後、当該記録ブロック３０乃至３３を元の読取ブロック２０の位置に記録し直してもその後に再生すべき読取ブロック（図７の場合、読取ブロック２４）の情報が書き換えられてしまわない程度に再生位置が移動したとき、当該記録ブロック３０乃至３３に対して図２に示す第１実施形態の再記録動作のうちステップＳ３を除いた動作が実行され、図７に光ディスク９”として示すように、当該記録ブロック３０乃至３３の記録位置の先頭が元の読取ブロック２０の記録位置の先頭となるように二度目の再記録が実行される。
【０１４３】
読取ブロック２０乃至２３について上述した動作が実行された後は、次の読取ブロック２４に対して再記録動作が実行され、対応する圧縮後の記録ブロック３４は、元の記録ブロック３０が記録されていた位置に再記録される。
【０１４４】
そして、当該記録ブロック３４は、その後再び記録位置が移動され、図７右に示すアドレス「１６」の位置に再記録される。
【０１４５】
以上説明した二度の再記録動作が全ての読取ブロックに対して実行される。
【０１４６】
第４実施形態においては、以上説明したように一の読取ブロックに対して二度の再記録動作が実行され、その結果として、図３右に示すように、記録ブロック３０乃至３４が光ディスク９の先頭から並んで再記録されることとなる。
【０１４７】
以上説明したように、第４実施形態の情報記録再生装置の動作によれば、再生した情報を圧縮した後に再記録するので、再生後の情報を再記録しておくために必要な光ディスク９上の領域を低減することができる。
【０１４８】
また、情報再生装置と情報記録装置の二つを用いることなく情報の再記録が可能となるので、設置場所を不要に占有することなく、情報保管用の光ディスク９を製造することができる。
【０１４９】
更に、一の記録再生部８により情報の再生と圧縮後の情報の再記録とを行うので、情報記録再生装置Ｓを小型化することができる。
【０１５０】
更にまた、圧縮後の情報を一時的にバッファ１９に記憶しつつ読み出して再記録するので、圧縮後の情報の記録時に記録位置の探索が必要となっても、連続して圧縮前の情報を再生することができる。
【０１５１】
また、一時的に圧縮後の情報（図７の場合、記録ブロック３０）が記録されていた光ディスク９上の領域内に新たな圧縮後の情報（図７の場合、記録ブロック３４）を再記録するので、再記録前の光ディスク９上に未記録領域Ｎが十分にない場合でも圧縮後の情報の再記録を行うことができる。
【０１５２】
更に、一時的に記録された圧縮後の情報の量よりも予め設定された量だけ多く情報を再生したとき、当該再生された情報（図７の場合、読取ブロック２０）が記録されていた光ディスク９上の領域に一時的に記録されている圧縮後の情報（図７の場合、記録ブロック３０乃至３３）を記録し直すので、再生直後の情報が圧縮後の情報の記録により消失することがなく、情報の圧縮処理等の最中に停電等が発生して当該圧縮処理等が中断しても、圧縮すべき情報を再度再生して圧縮処理等を再開することができる。
【０１５３】
また、再記録する記録媒体が光ディスク９であるので、情報の保管に必要な場所を最小限化することができる。
【０１５４】
なお、上述の各実施形態では、夫々の読取ブロック２０乃至２４内の情報量は全て等しいとして説明したが、これ以外に、一のブロック内に、いわゆるＭＰＥＧ（Moving  Picture  Experts  Group）方式の画像圧縮における各ＧＯＰ（Group  Of  Picture）毎の画像又は音声を含ませるようにしてもよいし、また、再生専用ＤＶＤ（従来のＣＤよりも記録容量を約７倍に高めた再生専用光ディスク）の論理フォーマットにおけるＶＯＢＵ（Video  Object  Unit）内の画像又は音声を含ませるようにしてもよい。これらの場合には、夫々の読取ブロックの情報量は相互に異なることとなる。
【０１５５】
また、上述の各実施形態では、マルチプレクサ７において、圧縮後の重畳信号Ｓmを一時的にバッファ１９に記憶させつつ記録再生部８に出力するように構成したが、これ以外に、スイッチ３と画像エンコーダ５の間、及びスイッチ４と音声エンコーダ６の間に夫々バッファを設け、圧縮前の復調画像信号Ｓdv又は復調音声信号Ｓdaを一時的に記憶し、これを連続的に読み出して夫々エンコードするように構成することもできる。
【０１５６】
この場合には、光ディスク９から再生した復調画像信号Ｓdv及び復調音声信号Ｓdaを一時的に記憶しつつ連続的に読み出すので、光ディスク９からの再生時に再生位置の探索が必要となっても、連続して圧縮後の情報を生成し、これを記録し直すことができる。
【図面の簡単な説明】
【図１】実施形態に係る情報記録再生装置の概要構成を示すブロック図である。
【図２】第１実施形態の再記録動作を示すフローチャートである。
【図３】第１実施形態の再記録前後における情報の記録状態を示す模式図である。
【図４】第２実施形態の再記録前後における情報の記録状態を示す模式図である。
【図５】第３実施形態の再記録動作を示すフローチャートである。
【図６】第３実施形態の再記録前後における情報の記録状態を示す模式図である。
【図７】第４実施形態の再記録前後における情報の記録状態を示す模式図である。
【符号の説明】
１、２…Ａ／Ｄコンバータ
３、４…スイッチ
５…画像エンコーダ
６…音声エンコーダ
７…マルチプレクサ
８…記録再生部
９、９’、９”…光ディスク
１０…デマルチプレクサ
１１…画像デコーダ
１２…音声デコーダ
１３、１４…Ｄ／Ａコンバータ
１５…記録レート制御部
１６…再生レート制御部
１７…ＣＰＵ
１８…入力部
１９…バッファ
２０、２０’、２１、２１’、２２、２２’、２３、２３’、２４、２４’…読取ブロック
３０、３１、３２、３３、３４…記録ブロック
Ｓ…情報記録再生装置
Ｎ、Ｎ１、Ｎ２…未記録領域
Ｓvin…画像信号
Ｓain…音声信号
Ｓdvin…ディジタル画像信号
Ｓdain…ディジタル音声信号
Ｓev…画像エンコード信号
Ｓea…音声エンコード信号
Ｓm…重畳信号
Ｓr…記録信号
Ｓp…読取信号
Ｓpp…再生信号
Ｓv…再生画像信号
Ｓa…再生音声信号
Ｓdv…復調画像信号
Ｓda…復調音声信号
Ｓvout…画像出力信号
Ｓaout…音声出力信号
Ｓar、Ｓvr、Ｓvp、Ｓap…レート制御信号
Ｓswa、Ｓswv、Ｓc、Ｓcr、Ｓcp…制御信号
Ｓin…入力信号
Ｓb…バッファ信号
【図１】
0003748332.tif 000002
【図２】
0003748332.tif 000003
【図３】
0003748332.tif 000004
【図４】
0003748332.tif 000005
【図５】
0003748332.tif 000006
【図６】
0003748332.tif 000007
【図７】
0003748332.tif 000008